(57)【要約】【課題】低コストで被写体にブレがなく、暗所での補助光併用による高速連写撮影が可能な高速連続写真撮像装置及び高速連続写真撮像方法を提供する。【解決手段】高速連続写真撮像装置は、補助光を発光する発光部１６と、前記補助光の１回の発光時間内に被写体を撮像して複数の画像を生成する固体撮像素子１１と、前記固体撮像素子１１により生成された画像が適正露出か否かを判定するＣＰＵ１５と、前記ＣＰＵ１５により適正露出でないと判定された画像に対してゲイン補正を行うデジタル信号処理部２６と、を備えている。【選択図】図１
2009017376.tif 000002
【特許請求の範囲】
【請求項１】
補助光を発光する発光手段と、
前記補助光の１回の発光時間内に被写体を撮像して複数の画像を生成する撮像手段と、
前記撮像手段により生成された画像が適正露出か否かを判定する露出判定手段と、
前記露出判定手段により適正露出でないと判定された画像に対してゲイン補正を行う補正手段と、
を備えた高速連続写真撮像装置。
【請求項２】
前記補正手段によるゲイン補正の要否を選択する補正選択手段と、
前記補正選択手段により前記ゲイン補正が必要と選択された場合には、前記露出判定手段により適正露出でないと判定された画像に対して前記補正手段がゲイン補正を行うように制御し、前記補正選択手段により前記ゲイン補正が不要と選択された場合には、前記露出判定手段による適正露出か否かの判定及び前記補正手段によるゲイン補正を行わないように制御する制御手段と、
を更に備えた請求項１記載の高速連続写真撮像装置。
【請求項３】
前記露出判定手段により適正露出でないと判定された画像がゲイン補正の範囲を超えるか否かを判定する補正判定手段と、
前記補正判定手段により前記適正露出でないと判定された画像がゲイン補正の範囲を超えると判定された場合には、前記補助光の発光を停止するように前記発光手段を制御し、撮像を停止するように前記撮像手段を制御する制御手段と、
を更に備えた請求項１記載の高速連続写真撮像装置。
【請求項４】
ＩＳＯ感度を設定するＩＳＯ感度設定手段と、
前記発光手段による補助光の発光の要否を判定する補助光要否判定手段と、
前記ＩＳＯ感度設定手段によりＩＳＯ感度が所定値以上に設定され、かつ、前記補助光要否判定手段により補助光の発光が不要と判定された場合には、前記発光手段による補助光の発光を行わずに前記撮像手段が被写体の画像を生成し、前記露出判定手段による前記画像が適正露出か否かの判定、及び前記補正手段によるゲイン補正を行わないように制御する制御手段と、
を更に備えた請求項１記載の高速連続写真撮像装置。
【請求項５】
ＩＳＯ感度を設定するＩＳＯ感度設定手段と、
前記発光手段による補助光の発光の要否を判定する補助光要否判定手段と、
前記発光要否判定手段により補助光の発光が不要と判定された場合には、前記ＩＳＯ感度設定手段がＩＳＯ感度を落とし、前記発光手段が補助光を発光し、前記撮像手段が被写体の画像を生成し、かつ、前記露出判定手段による前記画像が適正露出か否かの判定及び前記補正手段によるゲイン補正を行わないように制御する制御手段と、
を更に備えた請求項１記載の高速連続写真撮像装置。
【請求項６】
前記制御手段は、前記ＩＳＯ感度設定手段によりＩＳＯ感度を所定値以上に設定され、かつ、前記補助光要否判定手段により補助光の発光が不要と判定された場合には、前記発光手段による補助光の発光を行わずに前記撮像手段が被写体の画像を生成し、前記露出判定手段が前記画像が適正露出か否かを判定し、一度前記露出判定手段により前記画像が適正露出でないと判定されて以降は、前記ＩＳＯ感度設定手段がＩＳＯ感度を落とし、前記発光手段が補助光を発光し、前記撮像手段が被写体の画像を生成し、前記露出判定手段による判定を行わないように制御する請求項４記載の高速連続写真撮像装置。
【請求項７】
補助光の１回の発光時間内に被写体を撮像して複数の画像を生成し、
画像を生成する度に、生成された画像が適正露出か否かを判定し、
適正露出でないと判定された画像に対してゲイン補正を行う高速連続写真撮像方法。
【発明の詳細な説明】
【技術分野】
【０００１】
本発明は、撮像装置及び撮像方法に係り、特に高速連続写真撮像時の補助光撮影画像の取得に関する。
【背景技術】
【０００２】
デジタルカメラなど、撮影装置の高感度化が進んでおり、夜間や暗がりなどの暗所での撮影にはストロボなどの補助光を併用した撮影が一般的である。しかし、移動被写体の撮影時には１回の撮影チャンスでは被写体を上手く捉えることができず、撮影に失敗することが多いという問題点がある。
【０００３】
この問題点を解決する方法として、連続写真（以下、「連写」という。）による撮影方法がある。デジタルカメラでストロボ連写撮影を実現する技術として、ストロボを連続発光させて高速に連続撮影を行うストロボ連写カメラ（例えば、特許文献１参照。）が知られている。また、毎秒６０コマ程度の高速連写撮影に閃光発光を追従させることができ、露出が適正な高速連写を可能とするカメラ（例えば、特許文献２参照。）なども提案されている。
【特許文献１】特開平８−１７９４０３号公報
【特許文献２】特開２００６−３０１５２０号公報
【発明の開示】
【発明が解決しようとする課題】
【０００４】
しかしながら、特許文献１のストロボ連写カメラでは、ストロボ装置の充電／放電特性に依存して連続撮影速度（シャッタースピード、撮影間隔）に制約が生じる。このため、コマごとの適正露出は可能であるが、夜間や暗がりなどの暗所でストロボを必要とする高速移動被写体撮影（瞬時の高速連続写真）など、高速連続撮影により撮影チャンスを逃したくない場合においては、連続撮影後半に被写体ブレを起こしてしまうという問題点がある。また、特許文献２のカメラでは、フラット発光維持期間の制約から複数のストロボを併用する必要があり、カメラが大型化するなどユーザ負担を強いるもので、且つ、省電力化に逆行するという問題点がある。
【０００５】
本発明は、上記問題点を解消するために成されたものであり、低コストで被写体にブレがなく、暗所での補助光併用による高速連写撮影が可能な高速連続写真撮像装置及び高速連続写真撮像方法を提供することを目的とする。
【課題を解決するための手段】
【０００６】
上記目的を達成するため、請求項１記載の高速連続写真撮像装置は、補助光を発光する発光手段と、前記補助光の１回の発光時間内に被写体を撮像して複数の画像を生成する撮像手段と、前記撮像手段により生成された画像が適正露出か否かを判定する露出判定手段と、前記露出判定手段により適正露出でないと判定された画像に対してゲイン補正を行う補正手段と、を備えている。
【０００７】
請求項１記載の発明によれば、補助光の１回の発光時間内に複数の画像を生成するためシャッターチャンスを逃すことがなく、また、補助光の充放電特性に依存しないため被写体のブレのない画像を得ることができる。
【０００８】
請求項２記載の高速連続写真撮像装置は、請求項１記載の高速連続写真撮像装置において、前記補正手段によるゲイン補正の要否を選択する補正選択手段と、前記補正選択手段により前記ゲイン補正が必要と選択された場合には、前記露出判定手段により適正露出でないと判定された画像に対して前記補正手段がゲイン補正を行うように制御し、前記補正選択手段により前記ゲイン補正が不要と選択された場合には、前記露出判定手段による適正露出か否かの判定及び前記補正手段によるゲイン補正を行わないように制御する制御手段と、を更に備えている。
【０００９】
請求項２記載の発明によれば、ユーザが画質（Ｓ／Ｎ比）維持を優先する場合、多少露出不足であってもゲイン補正を行わないことが可能となる。
【００１０】
請求項３記載の高速連続写真撮像装置は、請求項１記載の高速連続写真撮像装置において、前記露出判定手段により適正露出でないと判定された画像がゲイン補正の範囲を超えるか否かを判定する補正判定手段と、前記補正判定手段により前記適正露出でないと判定された画像がゲイン補正の範囲を超えると判定された場合には、前記補助光の発光を停止するように前記発光手段を制御し、撮像を停止するように前記撮像手段を制御する制御手段と、を更に備えている。
【００１１】
請求項３記載の発明によれば、取得画像がゲイン補正の範囲を超える場合に撮影動作を中止することにより、容量の限られた記録媒体の無駄な消費を防止すると共に、電池消費を抑制することができる。
【００１２】
請求項４記載の高速連続写真撮像装置は、請求項１記載の高速連続写真撮像装置において、ＩＳＯ感度を設定するＩＳＯ感度設定手段と、前記発光手段による補助光の発光の要否を判定する補助光要否判定手段と、前記ＩＳＯ感度設定手段によりＩＳＯ感度が所定値以上に設定され、かつ、前記補助光要否判定手段により補助光の発光が不要と判定された場合には、前記発光手段による補助光の発光を行わずに前記撮像手段が被写体の画像を生成し、前記露出判定手段による前記画像が適正露出か否かの判定、及び前記補正手段によるゲイン補正を行わないように制御する制御手段と、を更に備えている。
【００１３】
請求項４記載の発明によれば、補助光が不要な場合には補助光なしで撮影することにより、自然光によるナチュラルな画像が取得できると共に、電池消耗を抑制することができる。
【００１４】
請求項５記載の高速連続写真撮像装置は、請求項１記載の高速連続写真撮像装置において、ＩＳＯ感度を設定するＩＳＯ感度設定手段と、前記発光手段による補助光の発光の要否を判定する補助光要否判定手段と、前記発光要否判定手段により補助光の発光が不要と判定された場合には、前記ＩＳＯ感度設定手段がＩＳＯ感度を落とし、前記発光手段が補助光を発光し、前記撮像手段が被写体の画像を生成し、かつ、前記露出判定手段による前記画像が適正露出か否かの判定及び前記補正手段によるゲイン補正を行わないように制御する制御手段と、を更に備えている。
【００１５】
請求項５記載の発明によれば、補助光不要な場合でもＩＳＯ感度を落として補助光によって撮影することにより、高画質（低ノイズ）な画像を取得することができる。
【００１６】
請求項６記載の高速連続写真撮像装置は、請求項４記載の高速連続写真撮像装置において、前記制御手段は、前記ＩＳＯ感度設定手段によりＩＳＯ感度を所定値以上に設定され、かつ、前記補助光要否判定手段により補助光の発光が不要と判定された場合には、前記発光手段による補助光の発光を行わずに前記撮像手段が被写体の画像を生成し、前記露出判定手段が前記画像が適正露出か否かを判定し、一度前記露出判定手段により前記画像が適正露出でないと判定されて以降は、前記ＩＳＯ感度設定手段がＩＳＯ感度を落とし、前記発光手段が補助光を発光し、前記撮像手段が被写体の画像を生成し、前記露出判定手段による判定を行わないように制御する。
【００１７】
請求項６記載の発明によれば、ナチュラルで高画質な画像を得たい場合には、撮影開始時には自然光によるナチュラルな画像が取得でき、適正露出でないと判定されてからはＩＳＯ感度を落として補助光によって撮影することにより、高画質（低ノイズ）な画像を取得することができる。
【００１８】
請求項７記載の高速連続写真撮像方法は、補助光の１回の発光時間内に被写体を撮像して複数の画像を生成し、画像を生成する度に、生成された画像が適正露出か否かを判定し、適正露出でないと判定された画像に対してゲイン補正を行う。
【００１９】
請求項７記載の発明によれば、補助光の１回の発光時間内に複数の画像を生成するためシャッターチャンスを逃すことがなく、また、補助光の充放電特性に依存しないため被写体のブレのない画像を得ることができる。
【発明の効果】
【００２０】
以上説明したように、本発明によれば、低コストで被写体にブレがなく、暗所での補助光併用による高速連続写真撮影が可能になるという効果が得られる。
【発明を実施するための最良の形態】
【００２１】
以下、図面を参照して本発明の実施の形態を説明する。図１には、本実施の形態に係る高速連続写真撮像装置の構成図が示されている。
【００２２】
同図に示すように、高速連続写真撮像装置は、撮影レンズ１０と、固体撮像素子１１と、この両者の間に設けられた絞り１２と、赤外線カットフィルタ１３と、光学ローパスフィルタ１４と、高速連続写真撮像装置の全体を制御するＣＰＵ１５とを備えている。ＣＰＵ１５は、フラッシュ用の発光部１６及び受光部１７を制御し、レンズ駆動部１８を制御して撮影レンズ１０の位置をフォーカス位置に調整し、絞り駆動部１９を介して絞り１２の開口量を制御して露光量が適正となるように調整する。また、ＣＰＵ１５は、撮像素子駆動部２０を介して固体撮像素子１１を駆動し、撮影レンズ１０を通して撮像した被写体画像を色信号として出力させる。更に、ＣＰＵ１５には、操作部２１を介してユーザの指示信号が入力され、ＣＰＵ１５はこの指示に従って各種制御を行う。ここで、固体撮像素子１１は、例えば、ハニカム画素配置のＣＣＤセンサやベイヤー方式のＣＣＤセンサ、或いはＣＭＯＳセンサである。ＩＳＯ感度は、固体撮像素子１１により設定される。
【００２３】
高速連続写真撮像装置の電気制御系は、固体撮像素子１１の出力に接続されたアナログ信号処理部２２と、アナログ信号処理部２２から出力されたＲＧＢの色信号をデジタル信号に変換するＡ／Ｄ変換回路２３とを備え、これらはＣＰＵ１５によって制御される。また、高速連続写真撮像装置の電気制御系は、メインメモリ２４に接続されたメモリ制御部２５と、撮影画像にゲイン補正を行うデジタル信号処理部２６と、撮像画像をＪＰＥＧ画像に圧縮したり、圧縮画像を伸張したりする圧縮伸張処理部２７と、固体撮像素子１１から出力されデジタルデータに変換された画像データをＲ、Ｇ、Ｂ毎に積算し各積算値をデジタル信号処理部２６に出力する積算部２８と、着脱自在の記録媒体２９が接続される外部メモリ制御部３０と、高速連続写真撮像装置の背面等に搭載された液晶表示部３１が接続される表示制御部３２とを備えている。これらは制御バス３３及びデータバス３４によって相互に接続され、ＣＰＵ１５からの指令によって制御される。
【００２４】
このように構成された上記高速連続写真撮像装置は、暗所での補助光併用による高速連続写真撮影を行うための仕組みを組み込む。以下、高速連続写真撮像を行うための好ましい実施の形態について説明する。
【００２５】
＜第１の実施の形態＞
図２は、本発明の第１の実施の形態に係る高速連続写真撮像装置の制御ルーチンの流れを示すフローチャートである。この制御ルーチンを実行するプログラムはメインメモリ２４に予め格納され、ＣＰＵ１５によって実行される。
【００２６】
最初にステップ１００で、ＣＰＵ１５が、操作部２１を介して暗時高速連写モードが選択されたか否かを判定する。暗時高速連写モードが選択された場合にはステップ１０２に進んで暗示高速連写モードが開始し、選択されなかった場合にはステップ１００の判定を繰り返す。ここで、暗時高速連写モードの選択は、操作部２１を介してユーザが指示を入力することにより行う。具体的には、スイッチやメニュー入力による。
【００２７】
ステップ１０２では、ＣＰＵ１５が、操作部２１を介してシャッターが中間位置まで押下される半押し状態か否かを判定し、半押し状態の場合はステップ１０４に進み、半押し状態でない場合は、ステップ１０２の判定を繰り返す。
【００２８】
ステップ１０４では、絞り駆動部１９が絞り１２の開口量を制御して、シャッタースピード優先にて自動露出を行う。
【００２９】
ステップ１０６では、ＣＰＵ１５が、操作部２１を介してシャッターが中間位置を超えた最終押下位置まで押下された押下状態か否かを判定し、押下状態の場合はステップ１０８に進み、押下状態でない場合は、ステップ１０６の判定を繰り返す。
【００３０】
ステップ１０８では、発光部１６が補助光の発光を開始する。
【００３１】
ステップ１１０では、撮像素子駆動部２０が固体撮像素子１１を駆動し、撮影レンズ１０を通して被写体を撮影する。本実施の形態では、図３に示すように、シャッターが押下されている間は補助光を発光し続け、この間に高速連写撮影を行って複数の画像を生成する。
【００３２】
図３では、シャッタースピードを１／５０００ｓｅｃ以上としているが、補助光の種類や性能によっては長い閃光時間を有する物もあるため、これに限定するものではない。例えば、フル発光で１／５００ｓｅｃの閃光時間を有する外部補助光もあり、この場合はシャッタースピードを１／２０００ｓｅｃにして約４コマの連写としてもよい。
【００３３】
ステップ１１２では、メモリ制御部２５が、１枚撮影する毎に撮影した画像を一旦メインメモリ２４に格納する。
【００３４】
ステップ１１４では、ＣＰＵ１５が、メインメモリ２４に格納された画像が適正露出か否かの判定を行う。適正露出の場合はステップ１１８に進み、適正露出でない場合はステップ１１６に進む。
【００３５】
ステップ１１６では、デジタル信号処理部２６が適正露出ではない画像に対して電気的ゲイン補正を行う。
【００３６】
ステップ１１８では、外部メモリ制御部３０が、撮影した画像を記録媒体２９に保存する。
【００３７】
ステップ１２０では、ＣＰＵ１５が、操作部２１を介してシャッターの押下状態が解除されたか否かを判定し、押下状態が解除された場合はステップ１２２に進み、押下状態解除されてない場合はステップ１１０に戻り、上述のステップ１１０からステップ１１８までの処理を繰り返す。
【００３８】
ステップ１２２では、シャッターの押下解除を契機に、発光部１６が補助光の発光を終了し、高速連写撮影が終了する。
【００３９】
以上のように、第１の実施の形態に係る高速連続写真撮像装置は、補助光の１回の発光時間内に高速連写撮影を行うため、瞬時の画像を複数枚取得でき、シャッターチャンスを逃すことがなくなる。また、補助光の充放電特性等に依存しないため、同一シャッタースピードを維持でき、被写体ブレのない撮影画像を得ることできる。更に、連写を実行するための複雑な回路制御（充放電、フラット発光）が不要であり、安価な撮像装置の提供が可能となる。
【００４０】
本実施の形態に係る高速連続写真撮像装置によれは、瞬きなど被写体の予期せぬ動作等での失敗を回避でき、例えば、暗がりでのジェットコースターなどのように、被写体通過時の一瞬の撮影時などに有効である。
【００４１】
＜第２の実施の形態＞
図４は、本発明の第２の実施の形態に係る高速連続写真撮像装置の制御ルーチンの流れを示すフローチャートである。図２と同一部分には同一符号を付して詳細な説明を省略する。
【００４２】
図４のフローチャートの構成と図２のフローチャートの構成との相違点は、図２中のステップ１１２とステップ１１４の間にステップ２００を設けたことである。具体的には、ステップ１１２ではメモリ制御部２５によって撮影画像がメインメモリ２４に格納され、その後、ステップ２００に進む。
【００４３】
ステップ２００では、ＣＰＵ１５が、操作部２１を介して補正を必要とするモードがユーザにより選択されたか否かを判定する。
【００４４】
補正を必要とするモードが選択された場合にはステップ１１４に進んで撮影画像が適正露出か否かの判定を行い、適正露出でない場合はステップ１１６で電気的ゲイン補正を行った後、ステップ１１８で記録媒体２９に保存される。
【００４５】
一方、補正を必要とするモードが選択されなかった場合にはステップ１１８に進み、この場合は、撮影した画像が適正露出か否かの判定は行わず、全ての画像が電気的ゲイン補正なしで記録媒体２９に保存される。
【００４６】
以上のように、第２の実施の形態に係る高速連続写真撮像装置は、ユーザが画質の維持を優先する場合には、例えば多少露出不足であってもゲイン補正を行わないので、ノイズのない高画質の画像を得ることが可能となる。
【００４７】
＜第３の実施の形態＞
図５は、本発明の第３の実施の形態に係る高速連続写真撮像装置の制御ルーチンの流れを示すフローチャートである。図２と同一部分には同一符号を付して詳細な説明を省略する。
【００４８】
図５のフローチャートの構成と図２のフローチャートの構成との相違点は、図２中のステップ１１４とステップ１１６の間にステップ３００を設けたことである。具体的には、ステップ１１４で、メインメモリ２４に格納された撮影画像が適正露出でないと判定されると、ステップ３００に進む。
【００４９】
ステップ３００では、ＣＰＵ１５が、ステップ１１４で適正露出でないと判定された画像が電気的ゲイン補正範囲を超えるか否か、即ち、補正の可否を判定する。補正可能な場合は、ステップ１１６に進み、デジタル信号処理部２６が適正露出ではない画像に対して電気的ゲイン補正を行う。
【００５０】
一方、補正不可能な場合は、ステップ１２２に進み、発光部１６が補助光の発光を中止し、高速連写撮影が終了する。
【００５１】
以上のように、第３の実施の形態に係る高速連続写真撮像装置は、適正露出でない画像が電気的ゲイン補正範囲を超えた場合には高速連写撮影動作を中止するため、記録媒体の限られた容量を無駄に消費することを防止すると共に、電池消耗を抑制することが可能となる。
【００５２】
＜第４の実施の形態＞
図６は、本発明の第４の実施の形態に係る高速連続写真撮像装置の制御ルーチンの流れを示すフローチャートである。図２と同一部分には同一符号を付して詳細な説明を省略する。
【００５３】
図６のフローチャートの構成と図２のフローチャートの構成との相違点は、図２中のステップ１０２の後にステップ４００からステップ４２０を設けたことである。具体的には、ステップ１０２でシャッターが半押し状態の場合にはステップ４００に進む。
【００５４】
ステップ４００では、ＣＰＵ１５が、操作部２１を介して自然光によるナチュラルな画像を優先するモードが選択されたか否かを判定する。ナチュラルな画像を優先するモードが選択された場合にはステップ４０２に進み、ナチュラルな画像を優先するモードが選択されなかった場合にはステップ１０４に進んで第１の実施の形態と同様の処理を行う。
【００５５】
ステップ４０２では、固体撮像素子１１がＩＳＯ感度を最高値に設定する。
【００５６】
ステップ４０４では、絞り駆動部１９が絞り１２の開口量を制御して、シャッタースピード優先にて自動露出を行う。
【００５７】
ステップ４０６では、ＣＰＵ１５が、受光部１７を通じて得られる被写体からの光量に基づいて、補助光の発光の要否を判定する。発光不要と判定した場合はステップ４０８に進み、補助光なしで高速連写撮影を行い、発光必要と判定した場合はステップ１０６に進んで第１の実施の形態と同様の処理を行う。
【００５８】
ステップ４０８では、ＣＰＵ１５が、操作部２１を介してシャッターが中間位置を超えた最終押下位置まで押下された押下状態か否かを判定し、押下状態の場合はステップ４１０に進み、押下状態でない場合は、ステップ４０８の判定を繰り返す。
【００５９】
ステップ４１０では、撮像素子駆動部２０が固体撮像素子１１を駆動し、撮影レンズ１０を通して被写体を撮影する。第１の実施の形態とは異なり、補助光の発光なしで被写体を撮像する。
【００６０】
ステップ４１２では、メモリ制御部２５が、１枚撮影する毎に撮影した画像を一旦メインメモリ２４に格納する。
【００６１】
ステップ４１８では、外部メモリ制御部３０が、撮影した画像を記録媒体２９に保存する。第１の実施の形態とは異なり、撮影された画像は適正露出か否かの判定及びゲイン補正は行わずに記録媒体２９に保存される。
【００６２】
ステップ４２０では、ＣＰＵ１５が、操作部２１を介してシャッターの押下状態が解除されたか否かを判定し、押下状態が解除された場合は高速連写撮影を終了し、押下状態解除されてない場合はステップ４１０に戻り、上述のステップ４１０からステップ４１８までの処理を繰り返す。
【００６３】
以上のように、第４の実施の形態に係る高速連続写真撮像装置は、ＩＳＯ感度を高く設定することにより、補助光なしで自然光によるナチュラルな画像を取得できると共に、電池消耗を抑制することが可能となる。
【００６４】
＜第５の実施の形態＞
図７は、本発明の第５の実施の形態に係る高速連続写真撮像装置の制御ルーチンの流れを示すフローチャートである。図２と同一部分には同一符号を付して詳細な説明を省略する。
【００６５】
図７のフローチャートの構成と図２のフローチャートの構成との相違点は、図２中のステップ１０２の後にステップ５００からステップ５２０を設けたことである。具体的には、ステップ１０２でシャッターが半押し状態の場合にはステップ５００に進む。
【００６６】
ステップ５００では、ＣＰＵ１５が、操作部２１を介して高画質（低ノイズ）な画像を優先するモードが選択されたか否かを判定する。高画質な画像を優先するモードが選択された場合にはステップ５０２に進み、ナチュラルな画像を優先するモードが選択されなかった場合にはステップ１０４に進んで第１の実施の形態と同様の処理を行う。
【００６７】
ステップ５０２では、絞り駆動部１９が絞り１２の開口量を制御して、シャッタースピード優先にて自動露出を行う。
【００６８】
ステップ５０４では、ＣＰＵ１５が、受光部１７を通じて得られる被写体からの光量に基づいて、補助光の発光の要否を判定する。発光不要と判定した場合はステップ５０５に進み、補助光なしで高速連写撮影を行い、発光必要と判定した場合はステップ１０６に進んで第１の実施の形態と同様の処理を行う。
【００６９】
ステップ５０５では、固体撮像素子１１がＩＳＯ感度を現状よりも低い値に設定する。
【００７０】
ステップ５０６では、ＣＰＵ１５が、操作部２１を介してシャッターが中間位置を超えた最終押下位置まで押下された押下状態か否かを判定し、押下状態の場合はステップ５０８に進み、押下状態でない場合は、ステップ５０６の判定を繰り返す。
【００７１】
ステップ５０８では、発光部１６が補助光の発光を開始する。
【００７２】
ステップ５１０では、撮像素子駆動部２０が固体撮像素子１１を駆動し、撮影レンズ１０を通して被写体を撮影する。第１の実施の形態とは異なり、ＩＳＯ感度を落とした状態での補助光によって被写体を撮像する。
【００７３】
ステップ５１２では、メモリ制御部２５が、１枚撮影する毎に撮影した画像を一旦メインメモリ２４に格納する。
【００７４】
ステップ５１８では、外部メモリ制御部３０が、撮影した画像を記録媒体２９に保存する。第１の実施の形態とは異なり、撮影された画像は適正露出か否かの判定及びゲイン補正は行わずに記録媒体２９に保存される。
【００７５】
ステップ５２０では、ＣＰＵ１５が、操作部２１を介してシャッターの押下状態が解除されたか否かを判定し、押下状態が解除された場合はステップ１２２に進み、押下状態が解除されてない場合はステップ５１０に戻り、上述のステップ５１０からステップ５１８までの処理を繰り返す。
【００７６】
以上のように、第５の実施の形態に係る高速連続写真撮像装置は、補助光が不要な場合でも、ＩＳＯ感度を落とすと共に補助光によって撮影することにより、高画質な画像を取得することが可能となる。
【００７７】
＜第６の実施の形態＞
図８は、本発明の第６の実施の形態に係る高速連続写真撮像装置の制御ルーチンの流れを示すフローチャートである。図６又は図７と同一部分には同一符号を付して詳細な説明を省略する。
【００７８】
図８のフローチャートの構成と図６のフローチャートの構成との第一の相違点は、図６中のステップ４００に代わってステップ４０１を設けたことである。ステップ４０１では、ＣＰＵ１５が、操作部２１を介して自然光によるナチュラルな画像及び高画質（低ノイズ）な画像を優先するモードが選択されたか否かを判定する。該モードが選択された場合にはステップ４０２に進み、ステップ４２０まで第４の実施の形態と同様の処理を行い、ナチュラルな画像を優先して撮影する。また、該モードが選択されなかった場合にはステップ１０４に進み、第１の実施の形態と同様の処理を行う。
【００７９】
第二の相違点は、図６中のステップ４１２の後にステップ５０１からステップ５２０を設けたことである。具体的には、ステップ４１２で撮影した画像が一旦メインメモリ２４に格納された後、ステップ５０１に進む。
【００８０】
ステップ５０１では、ＣＰＵ１５が、メインメモリ２４に格納された画像が適正露出か否かの判定を行う。適正露出の場合はステップ４１８に進み、第４の実施の形態と同様の処理を続ける。
【００８１】
また、適正露出でない場合はステップ５０５に進み、以降はステップ５２０まで第５の実施の形態と同様の処理を繰り返し、高画質（低ノイズ）な画像を優先して撮影する。
【００８２】
以上のように、第６の実施の形態に係る高速連続写真撮像装置は、第４の実施の形態と第５の実施の形態の特徴を併せ持つ。即ち、自然光によるナチュラルな画像及び高画質な画像を優先する場合には、高速連写撮影の最初は第４の実施の形態と同様にナチュラルな画像を優先して撮影し、途中で画像が適正露出でないと判定された後は第５の実施の形態と同様に高画質な画像を優先して撮影する。従って、異なるモードによる画像が取得でき、ユーザにとって画像の選択肢が広がり、好みの画像を選ぶことが可能となる。
【００８３】
なお、本発明は、上述した実施の形態に限定されるものではなく、特許請求の範囲に記載された範囲内で設計上の変更をされたものにも適用できる。
【図面の簡単な説明】
【００８４】
【図１】本発明に係る高速連続写真撮像装置の構成図である。
【図２】本発明の第１の実施の形態に係る高速連続写真撮像装置の制御ルーチンの流れを示すフローチャートである。
【図３】シャッター押下、補助光発光及び撮影のタイミングの関係を示す図である。
【図４】本発明の第２の実施の形態に係る高速連続写真撮像装置の制御ルーチンの流れを示すフローチャートである。
【図５】本発明の第３の実施の形態に係る高速連続写真撮像装置の制御ルーチンの流れを示すフローチャートである。
【図６】本発明の第４の実施の形態に係る高速連続写真撮像装置の制御ルーチンの流れを示すフローチャートである。
【図７】本発明の第５の実施の形態に係る高速連続写真撮像装置の制御ルーチンの流れを示すフローチャートである。
【図８】本発明の第６の実施の形態に係る高速連続写真撮像装置の制御ルーチンの流れを示すフローチャートである。
【符号の説明】
【００８５】
１０   撮影レンズ
１１   固体撮像素子
１２   絞り
１５   ＣＰＵ
１６   発光部
１７   受光部
２１   操作部
２２   アナログ信号処理部
２４   メインメモリ
２５   メモリ制御部
２６   デジタル信号処理部
２９   記録媒体
３０   外部メモリ制御部
３１   液晶表示部
【図１】
2009017376.tif 000003
【図２】
2009017376.tif 000004
【図３】
2009017376.tif 000005
【図４】
2009017376.tif 000006
【図５】
2009017376.tif 000007
【図６】
2009017376.tif 000008
【図７】
2009017376.tif 000009
【図８】
2009017376.tif 000010